(57)【要約】【課題】本発明は、木質面材の板厚を厚くせずに、木質面材の面外剛性を高めることを目的とする。【解決手段】木質面材の補強方法は、木質床２０の上面２０Ｕに沿って木質補強リブ材５０Ｘ、５０Ｙを配置し、当該木質補強リブ材５０Ｘ、５０Ｙをラグスクリューボルト６０によって木質床２０に接合する。【選択図】図３
2018204357.tif 000002
【特許請求の範囲】
【請求項１】
木質面材の表面に沿って木質補強リブ材を配置し、該木質補強リブ材を接合部材によって前記木質面材に接合する、
木質面材の補強方法。
【請求項２】
前記木質面材は、ＣＬＴ、ＬＶＬ、又は集成材とされ、
前記木質補強リブ材は、ＣＬＴ、ＬＶＬ、又は集成材とされる、
請求項１に記載の木質面材の補強方法。
【請求項３】
前記木質面材又は前記木質補強リブ材に前記接合部材を貫通させ、前記木質補強リブ材と前記木質面材とを接合する、
請求項１又は請求項２に記載の木質面材の補強方法。
【発明の詳細な説明】
【技術分野】
【０００１】
本発明は、木質面材の補強方法に関する。
【背景技術】
【０００２】
木製根太の上に敷設される木質床が知られている（例えば、特許文献１参照）。
【先行技術文献】
【特許文献】
【０００３】
【特許文献１】特開平８−６０７７４号公報
【発明の概要】
【発明が解決しようとする課題】
【０００４】
ところで、木質床や木質壁等の木質面材の板厚を厚くすることにより、木質面材の面外剛性を高めることが考えられる。
【０００５】
しかしながら、木質面材の板厚は、現場等で変更することはできず、必要に応じて木質面材に面外剛性を付与することが難しい。
【０００６】
本発明は、上記の事実を考慮し、木質面材の板厚を厚くせずに、木質面材の面外剛性を高めることを目的とする。
【課題を解決するための手段】
【０００７】
請求項１に記載の木質面材の補強方法は、木質面材の表面に沿って木質補強リブ材を配置し、該木質補強リブ材を接合部材によって前記木質面材に接合する。
【０００８】
請求項１に係る木質面材の補強方法によれば、木質面材の表面に木質補強リブ材が接合される。これにより、木質面材の板厚を厚くせずに、木質面材に面外剛性を付与することができる。
【０００９】
また、木質補強リブ材は、工場等において木質面材の表面に予め接合する必要はなく、例えば、現場において木質面材の表面に接合することができる。したがって、必要に応じて木質面材に面外剛性を付与することができる。
【００１０】
請求項２に記載の木質面材の補強方法は、前記木質面材は、ＣＬＴ、ＬＶＬ、又は集成材とされ、前記木質補強リブ材は、ＣＬＴ、ＬＶＬ、又は集成材とされる。
【００１１】
請求項２に係る木質面材の補強方法によれば、ＣＬＴ等の木質面材にＣＬＴ等の木質補強リブ材を接合部材によって接合することにより、木質面材の面外剛性を容易に高めることができる。
【００１２】
請求項３に記載の木質面材の補強方法は、請求項１又は請求項２に記載の木質面材の補強方法において、前記木質面材又は前記木質補強リブ材に前記接合部材を貫通させ、前記木質補強リブ材と前記木質面材とを接合する。
【００１３】
請求項３に係る木質面材の補強方法によれば、木質面材又は木質補強リブ材を貫通する接合部材によって、木質面材と木質補強リブ材とを容易に接合することができる。
【発明の効果】
【００１４】
以上説明したように、本発明に係る木質面材の補強方法によれば、木質面材の板厚を厚くせずに、木質面材の面外剛性を高めることができる。
【図面の簡単な説明】
【００１５】
【図１】図１は、一実施形態に係る木質面材の補強方法が適用された構造物の所定階における角部屋を示す平断面図である。
【図２】図２は、図１に示される構造物を矢印Ｓ方向から見た側面図である。
【図３】図３は、図１の３−３線断面図である。
【図４】図４は、一実施形態に係る木質面材の補強方法の変形例を示す図３に対応する断面図である。
【図５】図５は、一実施形態に係る木質面材の補強方法の変形例を示す図１の一部拡大図に相当する平断面図である。
【図６】図５の６−６線断面図である。
【図７】（Ａ）は、一実施形態に係る木質面材の補強方法の変形例を示す図３に相当する断面図であり、（Ｂ）は、図７の７Ｂ−７Ｂ線断面図である。
【図８】一実施形態に係る木質面材の補強方法の変形例を示す図３に相当する断面図である。
【発明を実施するための形態】
【００１６】
以下、図面を参照しながら、一実施形態に係る木質面材の補強方法について説明する。
【００１７】
図１には、本実施形態に係る構造物１０における所定階の角部屋１２が示されている。なお、図１に示されるＸ方向及びＹ方向は、互いに直交する水平二方向を示している。
【００１８】
構造物１０は、複数層（複数階）で構成されている。また、構造物１０には、木質面材による壁構造が採用されている。具体的には、構造物１０は、木質床２０と、木質床２０の外周部に沿って配置される木質壁３０Ｘ，３０Ｙとを備えている。
【００１９】
木質床２０及び木質壁３０Ｘ，３０Ｙは、例えば、ＣＬＴ（Cross Laminated Timber）によって形成されている。木質壁３０Ｘは、Ｘ方向に沿って配置されており、木質壁３０Ｙは、Ｙ方向に沿って配置されている。
【００２０】
なお、木質壁３０Ｘと木質壁３０Ｙとは、同様の構成とされている。したがって、以下では、木質壁３０Ｘについて説明し、木質壁３０Ｙの説明は適宜省略する。
【００２１】
木質床２０は、角部屋１２の床を構成している。図２に示されるように、木質床２０の外周部は、上下階の木質壁３０Ｘの間に配置されている。この木質床２０の外周部と、上下階の木質壁３０Ｘとは、例えば、図示しない引きボルトやＬ型の金物（せん断金物）によって接合されている。また、木質床２０の外周部は、下階の木質壁３０Ｘによって支持されている。
【００２２】
ここで、図１に示されるように、角部屋１２の角部１２Ｃには、木質壁３０Ｘ，３０Ｙが設けられておらず、開口部１４とされている。また、角部１２Ｃの頂部には、柱４０が立てられている。柱４０は、角形鋼管等の鉄骨柱とされている。なお、柱４０は、鉄骨造に限らず、例えば、鉄筋コンクリート造等とされても良い。
【００２３】
図２に示されるように、開口部１４は、後述する木質補強リブ材５０Ｘと、木質補強リブ材５０Ｘの上方の木質床２０とに亘って形成されている。また、開口部１４は、木質壁３０Ｘと柱４０とに亘って形成されている。この開口部１４には、窓枠１６及び窓ガラス１８が設置されている。
【００２４】
窓枠（サッシ）１６は、枠状に形成されており、開口部１４の内周面に沿って配置されている。この窓枠１６の内側には、窓ガラス１８が嵌め込まれている。
【００２５】
ここで、前述したように、開口部１４には、木質床２０を支持する木質壁３０Ｘが設けられていない。そのため、開口部１４では、木質床２０がたわむ可能性がある。この対策として本実施形態では、木質床２０が木質補強リブ材５０Ｘ、５０Ｙ（図１参照）によって補強されている。
【００２６】
なお、木質補強リブ材５０Ｘと木質補強リブ材５０Ｙとは、同様の構成とされている。したがって、以下では、木質補強リブ材５０Ｘについて説明し、木質補強リブ材５０Ｙの説明は適宜省略する。
【００２７】
図３に示されるように、木質補強リブ材５０Ｘは、例えば、ＣＬＴ等によって断面矩形の梁状に形成されている。この木質補強リブ材５０Ｘは、木質床２０の上面２０Ｕに沿って配置されている。
【００２８】
図２に示されるように、木質補強リブ材５０Ｘは、木質壁３０Ｘと柱４０とに梁状に架設されている。つまり、木質補強リブ材５０Ｘの長手方向の一端部は木質壁３０Ｘに接合され、木質補強リブ材５０Ｘの長手方向の他端部は木質壁３０Ｘに接合されている。
【００２９】
なお、木質床２０は、木質面材の一例であり、木質床２０の上面２０Ｕは、木質面材の表面の一例である。また、木質補強リブ材５０Ｘは、木質壁３０Ｘと柱４０とに架設されなくても良い。
【００３０】
図３に示されるように、木質補強リブ材５０Ｘは、例えば、現場において、接合部材としての複数のラグスクリューボルト（ＬＳＢ）６０によって木質床２０に接合されている。これにより、木質補強リブ材５０Ｘが木質床２０に一体化されるとともに、木質補強リブ材５０Ｘが木質床２０の上面２０Ｕから上方へリブ状（突起状）に突出した状態となる。この木質補強リブ材５０Ｘによって、木質床２０に面外方向の剛性（面外剛性）が付与される。
【００３１】
なお、複数のラグスクリューボルト６０は、木質補強リブ材５０Ｘの長手方向に間隔を空けて配置されている。また、ラグスクリューボルト６０の数や配置は、適宜変更可能である。また、ラグスクリューボルト６０は、接合部材の一例である。
【００３２】
木質補強リブ材５０Ｘの上には、二重床２２の端部が載置されている。二重床２２は、例えば、木質床２０の上に配置されており、木質床２０との間に床下空間２４を形成している。また、二重床２２によって、木質補強リブ材５０Ｘが隠されており、二重床２２上の室内から木質補強リブ材５０Ｘが見えなくなっている。
【００３３】
（木質面材の補強方法）
次に、木質面材の補強方法の一例について説明する。
【００３４】
本実施形態では、現場において、ラグスクリューボルト６０によって、木質補強リブ材５０Ｘを木質床２０に接合する。具体的には、先ず、木質床２０及び木質補強リブ材５０Ｘに、ラグスクリューボルト６０を捻じ込む先孔をそれぞれ形成する。次に、木質床２０の上面２０Ｕに沿って木質補強リブ材５０Ｘを設置する。
【００３５】
次に、図３に示されるように、木質床２０の下面２０Ｌ側から先孔にラグスクリューボルト６０を捻じ込み、木質床２０にラグスクリューボルト６０を貫通させるとともに、木質補強リブ材５０Ｘの先孔にラグスクリューボルト６０に捻じ込む。
【００３６】
以上の手順により、木質床２０及び木質補強リブ材５０Ｘに複数のラグスクリューボルト６０を捻じ込む。これにより、木質補強リブ材５０Ｘが木質床２０に接合され、木質床２０に面外剛性が付与される。
【００３７】
（作用）
次に、本実施形態の作用について説明する。
【００３８】
図１に示されるように、本実施形態に係る構造物１０では、角部屋１２の角部１２Ｃに開口部１４が形成されている。この開口部１４には、窓枠１６及び窓ガラス１８が設置されている。これにより、角部屋１２の意匠性、眺望性、採光性等が高められている。
【００３９】
ここで、開口部１４には、木質床２０を支持する木質壁３０Ｘが存在しない。そのため、開口部１４では、木質床２０がたわむ可能性がある。この対策として本実施形態では、図２及び図３に示されるように、木質床２０が木質補強リブ材５０Ｘによって補強されている。これにより、木質床２０の板厚を厚くせずに、木質床２０に面外剛性を付与することができる。したがって、木質床２０のたわみが低減される。
【００４０】
また、図２に示されるように、木質補強リブ材５０Ｘは、木質壁３０Ｘと柱４０との間に梁状に架設される。これにより、木質床２０のたわみがさらに低減される。
【００４１】
さらに、木質補強リブ材５０Ｘは、工場等において木質床２０の上面２０Ｕに接合する必要はなく、現場において、木質床２０の上面２０Ｕに接合することができる。したがって、必要に応じて木質床２０の面外剛性を付与することができる。
【００４２】
また、図３に示されるように、木質補強リブ材５０Ｘと木質床２０とは、木質床２０を貫通するラグスクリューボルト６０によって容易に接合することができる。したがって、施工性が向上する。
【００４３】
さらに、木質補強リブ材５０Ｘは、木質床２０と同じＣＬＴによって形成されている。そのため、同様の要領で、木質床２０及び木質補強リブ材５０Ｘにラグスクリューボルト６０を捻じ込むことができる。したがって、施工性がさらに向上する。
【００４４】
しかも、木質補強リブ材５０Ｘは、木質床２０の上面２０Ｕにリブ状に設けられるため、開口部１４の開口面積を広く確保することができる。
【００４５】
また、本実施形態では、木質補強リブ材５０Ｘの上に、二重床２２の外周部が載置されている。この二重床２２によって、木質補強リブ材５０Ｘが隠されており、二重床２２上の室内から木質補強リブ材５０Ｘが見えなくなっている。したがって、室内の意匠性が向上する。
【００４６】
（変形例）
次に、上記実施形態の変形例について説明する。
【００４７】
上記実施形態では、木質床２０を貫通するラグスクリューボルト６０によって、木質床２０と木質補強リブ材５０Ｘとを接合したが、上記実施形態はこれに限らない。例えば、図４に示されるように、木質補強リブ材５０Ｘを貫通するラグスクリューボルト６０によって、木質床２０と木質補強リブ材５０Ｘとを接合しても良い。
【００４８】
また、図５及び図６に示されるように、木質補強リブ材５０Ｘは、複数のラグスクリューボルト６０によって木質壁３０Ｘの内壁面３０Ｘ１に接合しても良い。なお、複数のラグスクリューボルト６０は、木質壁３０Ｘの長手方向に間隔を空けて配置されている。また、図示を省略するが、木質補強リブ材５０Ｘは、複数のラグスクリューボルト６０によって木質壁３０Ｘの外壁面３０Ｘ２に接合されても良い。
【００４９】
また、上記実施形態では、木質補強リブ材５０Ｘが、接合部材としてのラグスクリューボルト６０によって木質床２０に接合されるが、上記実施形態はこれに限らない。接合部材としては、例えば、ボルトやグルード・イン・ロッド（ＧＩＲ）、アンカー部材、木製の貫や栓、接着剤等であっても良い。
【００５０】
なお、図７（Ａ）及び図７Ｂには、木質床２０と木質補強リブ材５０Ｘとを接合する木製の栓７０が示されている。このように栓７０を木製とすることにより、素材の親和性を高めることができる。
【００５１】
また、例えば、図８に示されるように、接合部材としては、接合金物８０を用いても良い。具体的には、木質補強リブ材５０Ｘの両側には、接合金物８０がそれぞれ配置されている。各接合金物８０は、断面Ｌ字形状に形成されている。
【００５２】
接合金物８０の一方のフランジ部８０Ａは、木質補強リブ材５０Ｘの側面に重ねられ、ビス８２によって木質補強リブ材５０Ｘに接合されている。また、接合金物８０の他方のフランジ部８０Ｂは、木質床２０の上面２０Ｕに重ねられ、ビス８４によって木質床２０に接合されている。このように接合金物８０を介して、木質補強リブ材５０Ｘと木質床２０とを接合することも可能である。
【００５３】
また、上記実施形態では、木質補強リブ材５０Ｘが木質床２０の上面２０Ｕに沿って配置されるが、上記実施形態はこれに限らない。木質補強リブ材は、木質床２０の下面２０Ｌに沿って配置されても良い。この場合、木質床２０の下面２０Ｌに沿って配置された木質補強リブ材は、例えば、天井材等によって隠すことができる。
【００５４】
また、上記実施形態では、木質補強リブ材５０Ｘが木質床２０に接合されるが、上記実施形態はこれに限らない。木質補強リブ材は、例えば、木質床、木質壁、及び木質天井等の種々の木質面材に接合することができる。
【００５５】
また、上記実施形態では、木質補強リブ材５０ＸがＣＬＴによって形成されるが、上記実施形態ではこれに限らない。木質補強リブ材は、例えば、ＬＶＬ（Laminated Veneer Lumber）、集成材、合板、無垢材等によって形成されても良い。これと同様に、木質面材は、ＣＬＴに限らず、ＬＶＬ、集成材、合板、無垢材等によって形成されても良い。さらに、木質補強リブ材と木質面材とは、異種の木質材（例えば、木質補強リブ材がＣＬＴで、木質面材がＬＶＬなど）によって形成されても良い。
【００５６】
また、上記実施形態では、構造物１０が壁構造とされるが、上記実施形態に係る木質面材の補強方法は、種々の構造の構造物に適用可能である。
【００５７】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００５８】
２０      木質床（木質面材）
２０Ｕ    上面（木質面材の表面）
３０Ｘ    木質壁（木質面材）
３０Ｘ１  内壁面（木質面材の表面）
５０Ｘ    木質補強リブ材
５０Ｙ    木質補強リブ材
６０      ラグスクリューボルト（接合部材）
７０      栓（接合部材）
８０      接合金物（接合部材）
【図１】
2018204357.tif 000003
【図２】
2018204357.tif 000004
【図３】
2018204357.tif 000005
【図４】
2018204357.tif 000006
【図５】
2018204357.tif 000007
【図６】
2018204357.tif 000008
【図７】
2018204357.tif 000009
【図８】
2018204357.tif 000010